(57)【要約】【課題】入浴時にコールドラフトを生じることなく、快適にバスタイムを過ごすことのできる浴室換気システムを提供する。【解決手段】風呂場１と脱衣室２と両者を仕切る風呂場入口ドア３とからなる浴室において、風呂場１と脱衣室２とにそれぞれ換気口を設けるとともに、風呂場換気口１１に接続するダクト１２と脱衣室換気口２１に接続するダクト２２とを切替え弁６を介して排気装置７に連結し、換気制御手段５が風呂場１に入浴者有りと判断したときは上記切替え弁６を脱衣室換気ダクト２２と排気装置７とを接続するように切替え、上記以外の場合は、上記切替え弁６を風呂場換気ダクト１２と排気装置７とを接続するように切替えて排気することを特徴とする浴室換気システム。【選択図】図１
2005127629.tif 000002
【特許請求の範囲】
【請求項１】
風呂場と脱衣室と両者を仕切る風呂場入口ドアとからなる浴室において、風呂場と脱衣室とにそれぞれ換気口を設けるとともに、風呂場換気口に接続するダクトと脱衣室換気口に接続するダクトとを切替え弁を介して排気装置に連結し、換気制御手段が風呂場に入浴者有りと判断したときは上記切替え弁を脱衣室換気ダクトと排気装置とを接続するように切替え、上記以外の場合は、上記切替え弁を風呂場換気ダクトと排気装置とを接続するように切替え、排気することを特徴とする浴室換気システム。
【請求項２】
上記風呂場入口ドアの開閉をドア開閉センサで検知するとともに、風呂場照明のオン・オフを照明通電センサで検知し、上記換気制御手段が入口ドア開閉と照明オン・オフの組合わせから風呂場内の入浴者の有無を判断する請求項１に記載の浴室換気システム。
【請求項３】
上記風呂場入口ドアが閉、風呂場照明がオンの場合を風呂場内に入浴者有りと判断して、脱衣室換気口から換気する請求項２に記載の浴室換気システム。
【発明の詳細な説明】
【技術分野】
【０００１】
本発明は、浴室の換気システムに関する。さらに詳しくは、主として風呂場と脱衣室とからなる浴室の換気を２４時間連続して行なえるとともに、快適なバスタイムを過ごすことのできる浴室の換気システムに関する。
【背景技術】
【０００２】
近年、住宅が高気密化、高断熱化することによって、屋内、とくに、浴室内にこもる水蒸気が壁面で結露し、衣服の湿り、カビの発生等を惹き起こすため、強制的に換気することが多く、この換気システムに関して種々の技術が提案されている。
【特許文献１】特開２０００−１６１７５１号公報（第１−４頁、第１図、第２図）
【特許文献２】特開平９−２６４５７７号公報（第１−３頁、第１図、第３図、第４図）
【特許文献３】特開平４−１３０３０号公報（第１−２頁、第１図、第２図）
【発明の開示】
【発明が解決しようとする課題】
【０００３】
上記技術においては、風呂場や脱衣室における結露を防止し、乾燥して常にさわやかな空間とすることを主目的とされているものであるが、冬季の入浴時にはコールドドラフトのために肌寒さを感じ、不快感が生じるという問題がある。本発明は、このような問題を解決して、浴室を２４時間換気可能とするとともに、入浴時にはコールドラフトを生じることなく、快適にバスタイムを過ごすことのできる浴室換気システムを提供することをその課題とする。
【課題を解決するための手段】
【０００４】
上記課題を解決するために、本発明においては、つぎのような技術的手段を講じている。すなわち、本発明によれば、風呂場と脱衣室と両者を仕切る風呂場入口ドアとからなる浴室において、風呂場と脱衣室とにそれぞれ換気口を設けるとともに、風呂場換気口に接続するダクトと脱衣室換気口に接続するダクトとを切替え弁を介して排気装置に連結し、換気制御手段が風呂場に入浴者有りと判断したときは上記切替え弁を脱衣室換気ダクトと排気装置とを接続するように切替え、上記以外の場合は、上記切替え弁を風呂場換気ダクトと排気装置とを接続するように切替えて排気することを特徴とする浴室換気システムが提供される。
【０００５】
上記風呂場入口ドアの開閉をドア開閉センサで検知するとともに、風呂場照明のオン・オフを照明通電センサで検知し、上記換気制御手段が入口ドア開閉と照明オン・オフの組合わせから風呂場内の入浴者の有無を判断することが好ましい。また、上記入口ドアが閉、照明がオンの場合を風呂場内に入浴者有りと判断して、脱衣室換気口から換気することが好ましい。
【発明の効果】
【０００６】
請求項１に記載の発明は上記のとおりであり、とくに、換気制御手段が風呂場に入浴者有りと判断したときは上記切替え弁を脱衣室換気ダクトと排気装置とを接続するように切替え、脱衣室から換気するため、２４時間浴室の換気が可能で、浴室を常に乾燥した爽やかな空間とすることができるとともに、入浴時に風呂場内でのコールドラフトの発生をなくすことができる。
【０００７】
上記風呂場入口ドアの開閉をドア開閉センサで検知するとともに、風呂場照明のオン・オフを照明通電センサで検知し、上記換気制御手段がドア開閉と照明オン・オフの４種類の組合わせから風呂場内の入浴者の有無を判断するため、簡単に、脱衣室から換気するか、風呂場から換気するかを決定することができる。
【０００８】
上記風呂場入口ドアが閉、風呂場照明がオンの場合を風呂場内に入浴者有りと判断して、脱衣室換気口から換気するため、風呂場内でコールドドラフトを生じることがなく、快適にバスタイムを過ごすことができる。
【発明を実施するための最良の形態】
【０００９】
以下、本発明の実施形態について図面を参照して、詳細に説明する。図１は、本発明にかかる浴室換気システムの概略構成を示すとともに、風呂場１内に入浴者があるときの換気状態を示す説明図である。図１において、浴室は、風呂場１と脱衣室２と両者を仕切る風呂場１への入口ドア３とから構成されている。風呂場１内の照明４のオン・オフは、照明通電センサ４１によって検知され、そのデータは換気制御手段５に送信され、同様に入口ドア３の開閉は、ドア開閉センサ３１によって検知され、そのデータは換気制御手段５に送信される。符号８は、上記浴室換気システム全体のメインスイッチであり、このメインスイッチ８をオンとすることによって２４時間、浴室を換気することができる。
【００１０】
上記換気制御手段５は、入口ドア３の開閉と、風呂場１内の照明４のオン・オフの４種類のデータの組合わせから風呂場１内の入浴者有無の判断を行うとともに、入力されたプログラムにしたがって脱衣室換気モードＡか風呂場換気モードＢのいずれかを選ぶようにされている。すなわち、入浴時は、風呂場１の入口用ドア３は閉じられ、照明４はオンとなるため、上記プログラムにしたがって、入浴者ありと判断し、換気制御手段５は、図１に示すように脱衣室換気モードＡを選び、脱衣室２に設けられた脱衣室換気口２１から換気するように切替え弁６に電気的に指令する。切替え弁６は、上記指令にしたがって、脱衣室換気ダクト２２と排気装置７とを接続するように切替え、脱衣室２内の空気は、排気ダクト６１から排出される。かくして、入浴時は、浴室の換気は脱衣室２から行なわれるため、風呂場１内でコールドドラフトは生じず、入浴者は肌寒さを感じることなく、快適にバスタイムを過ごすことができる。
【００１１】
ついで、入浴者が風呂場１から出るときは、通常、照明４をオンのまま入口ドア３を開けるため、換気制御手段５は、入浴が終わったものと判断し、図２に示す風呂場換気モードＢを選ぶ。風呂場換気モードＢにおいては、切替え弁６は、風呂場換気ダクト１２と排気装置７とを接続するように切替えられ、浴室内の空気は、風呂場換気口１１から換気される。
【００１２】
入浴者が風呂場１から出ると、上記のように浴室の換気は風呂場１から行なわれるため、脱衣室２内で肌寒さを感じることなく身体を拭き、快適に着替えることができる。換気制御手段５は、上記したように、風呂場照明４オン、入口ドア３開で風呂場換気モードＢと判断するが、さらに、照明４がオフのときは常に入浴者がいないものと判断し、風呂場換気モードＢとするようにプログラムされる。表１に上記プログラムをまとめて示す。以上述べたように、本発明にかかる浴室換気システムによれば、風呂場１内の入浴者の有無を風呂場入口ドア３の開閉と、風呂場照明４のオン・オフの４通りの簡単な組合わせで判断し、入浴中は、脱衣室２から換気するため、風呂場１内でコールドドラフトを生じることがなく、快適にバスタイムを過ごすことができる。なお、脱衣室換気口２１を脱衣室２側に通じているドア枠の鴨居に設けても良い。
【００１３】
【表１】
2005127629.tif 000003
【図面の簡単な説明】
【００１４】
【図１】本発明の浴室換気システムにおいて脱衣室換気モードを示す説明図である。
【図２】本発明の浴室換気システムにおいて風呂場換気モードを示す説明図である。
【符号の説明】
【００１５】
Ａ          脱衣室換気モード
Ｂ          風呂場換気モード
１          風呂場
１１        風呂場換気口
１２        風呂場換気ダクト
２          脱衣室
２１        脱衣室換気口
２２        脱衣室換気ダクト
３          風呂場入口ドア
３１        ドア開閉センサ
４          照明
４１        照明通電センサ
５          換気制御手段
６          切替え弁
６１        排気ダクト
７          排気装置
８          メインスイッチ
【図１】
2005127629.tif 000004
【図２】
2005127629.tif 000005